(57)【要約】【課題】印刷されている情報を事後的に容易かつ良好に消去することが可能である印刷物、前記印刷物を製造するための方法、装置およびプログラムを提供する。【解決手段】印刷媒体である基材２０と、基材２０上に配置され、削り取ることにより除去自在であるスクラッチ層５０と、スクラッチ層５０上に配置され、第１情報が印刷されて構成される第１印刷部６０とを有する。【選択図】図２
2011245834.tif 000002
【特許請求の範囲】
【請求項１】
印刷媒体である基材と、
前記基材上に配置され、削り取ることにより除去自在であるスクラッチ層と、
前記スクラッチ層上に配置され、第１情報が印刷されて構成される第１印刷部と、
を有することを特徴とする印刷物。
【請求項２】
前記第１情報は、漏洩防止情報あるいは個人情報を含んでいることを特徴とする請求項１に記載の印刷物。
【請求項３】
前記スクラッチ層が占める範囲の形状は、前記第１印刷部の形状と異なっていることを特徴とする請求項１又は請求項２に記載の印刷物。
【請求項４】
前記スクラッチ層が占める範囲は、全体として単一の閉じた形状を有することを特徴とする請求項１〜３のいずれか１項に記載の印刷物。
【請求項５】
前記基材と前記スクラッチ層との間に配置される第２印刷部およびラミネート層を、さらに有しており、
前記第２印刷部は、前記基材上に配置され、第２情報が印刷されて構成されており、
前記ラミネート層は、前記第２印刷部と前記スクラッチ層との間に位置し、前記第２印刷部が視認できる透明な材料から構成されている
ことを特徴とする請求項１〜４のいずれか１項に記載の印刷物。
【請求項６】
前記第２情報は、印刷物の受け取り手の興味を引く情報からなることを特徴とする請求項５に記載の印刷物。
【請求項７】
前記基材上に配置され、第３情報が印刷されて構成される第３印刷部をさらに有し、
前記第３情報は、前記スクラッチ層を削り取ることにより前記第１情報が消去可能である旨のメッセージを含んでおり、
前記第３印刷部が占める範囲は、前記スクラッチ層が占める範囲から離間して位置していることを特徴とする請求項１〜６のいずれか１項に記載の印刷物。
【請求項８】
前記スクラッチ層上において前記第１印刷部が占める範囲以外に配置される装飾印刷部を、さらに有し、
前記装飾印刷部は、前記スクラッチ層を隠蔽できる有色の材料から構成されている
ことを特徴とする請求項１〜７のいずれか１項に記載の印刷物。
【請求項９】
前記装飾印刷部の外周は、前記スクラッチ層の一部を露出するための欠落部を有することを特徴とする請求項８に記載の印刷物。
【請求項１０】
前記装飾印刷部は、前記基材の色と同じ色あるいは近似色を有することを特徴とする請求項８又は請求項９に記載の印刷物。
【請求項１１】
前記スクラッチ層は、前記基材の色と同じ色あるいは近似色を有することを特徴とする請求項１〜７のいずれか１項に記載の印刷物。
【請求項１２】
印刷物の印刷媒体である基材上に、削り取ることにより除去自在であるスクラッチ層を配置するステップ（Ａ）と、
前記スクラッチ層上に、第１情報が印刷されて構成される第１印刷部を配置するステップ（Ｂ）と、
を有することを特徴とする印刷方法。
【請求項１３】
前記第１情報は、漏洩防止情報あるいは個人情報を含んでいることを特徴とする請求項１２に記載の印刷方法。
【請求項１４】
印刷ジョブデータから前記第１情報を分離するステップ（Ｃ）を、さらに有することを特徴とする請求項１２又は請求項１３に記載の印刷方法。
【請求項１５】
前記印刷ジョブデータに含まれるデータには、前記第１情報か否かを判別するための識別情報が付加されており、
前記ステップ（Ｃ）における前記第１情報を分離は、前記識別情報に基づいていることを特徴とする請求項１２〜１４のいずれか１項に記載の印刷方法。
【請求項１６】
前記印刷ジョブデータは、バリアブルプリントに使用されるフォームデータを含んでおり、前記識別情報は、前記フォームデータのフィールドに付加されていることを特徴とする請求項１５に記載の印刷方法。
【請求項１７】
前記基材と前記スクラッチ層との間に、第２印刷部およびラミネート層を配置するステップ（Ｄ）を、さらに有しており、
前記第２印刷部は、前記基材上に配置され、第２情報が印刷されて構成されており、
前記ラミネート層は、前記第２印刷部と前記スクラッチ層との間に位置し、前記第２印刷部が視認できる透明な材料から構成されている
ことを特徴とする請求項１２〜１６のいずれか１項に記載の印刷方法。
【請求項１８】
前記基材上に、第３情報が印刷されて構成される第３印刷部を配置するステップ（Ｅ）を、さらに有しており、
前記第３情報は、前記スクラッチ層を削り取ることにより前記第１情報が消去可能である旨のメッセージを含んでおり、
前記第３印刷部が占める範囲は、前記スクラッチ層が占める範囲から離間して位置している
ことを特徴とする請求項１２〜１７のいずれか１項に記載の印刷方法。
【請求項１９】
前記スクラッチ層上において前記第１印刷部が占める範囲以外に、装飾印刷部を配置するステップ（Ｆ）を、さらに有しており、
前記装飾印刷部は、前記スクラッチ層を隠蔽できる有色の材料から構成されている
ことを特徴とする請求項１２〜１８のいずれか１項に記載の印刷方法。
【請求項２０】
印刷物の印刷媒体である基材上に、削り取ることにより除去自在であるスクラッチ層を配置するためのスクラッチ層配置手段と、
前記スクラッチ層上に、第１情報が印刷されて構成される第１印刷部を配置するための第１印刷部配置手段と、
を有することを特徴とする印刷装置。
【請求項２１】
前記第１情報は、漏洩防止情報あるいは個人情報を含んでいることを特徴とする請求項２０に記載の印刷装置。
【請求項２２】
印刷ジョブデータから前記第１情報を分離するための第１情報分離手段を、さらに有することを特徴とする請求項２０又は請求項２１に記載の印刷装置。
【請求項２３】
前記印刷ジョブデータに含まれるデータには、前記第１情報か否かを判別するための識別情報が付加されており、
前記第１情報分離手段による前記第１情報を分離は、前記識別情報に基づいていることを特徴とする請求項２０〜２２のいずれか１項に記載の印刷装置。
【請求項２４】
前記印刷ジョブデータは、バリアブルプリントに使用されるフォームデータを含んでおり、前記識別情報は、前記フォームデータのフィールドに付加されていることを特徴とする請求項２３に記載の印刷装置。
【請求項２５】
前記基材と前記スクラッチ層との間に第２印刷部を配置するための第２印刷部配置手段と、
前記基材と前記スクラッチ層との間にラミネート層を配置するためのラミネート層配置手段とを、さらに有しており、
前記第２印刷部は、前記基材上に配置され、第２情報が印刷されて構成されており、
前記ラミネート層は、前記第２印刷部と前記スクラッチ層との間に位置し、前記第２印刷部が視認できる透明な材料から構成されている
ことを特徴とする請求項１２〜１６のいずれか１項に記載の印刷装置。
【請求項２６】
前記基材上に、第３情報が印刷されて構成される第３印刷部を配置するための第３印刷部配置手段を、さらに有しており、
前記第３情報は、前記スクラッチ層を削り取ることにより前記第１情報が消去可能である旨のメッセージを含んでおり、
前記第３印刷部が占める範囲は、前記スクラッチ層が占める範囲から離間して位置している
ことを特徴とする請求項２０〜２５のいずれか１項に記載の印刷装置。
【請求項２７】
前記スクラッチ層上において前記第１印刷部が占める範囲以外に、装飾印刷部を配置するための装飾印刷部配置手段を、さらに有しており、
前記装飾印刷部は、前記スクラッチ層を隠蔽できる有色の材料から構成されている
ことを特徴とする請求項２０〜２６のいずれか１項に記載の印刷装置。
【請求項２８】
印刷装置を制御するプログラムであって、
印刷物の印刷媒体である基材上に、削り取ることにより除去自在であるスクラッチ層を配置する手順（Ａ）と、
前記スクラッチ層上に、第１情報が印刷されて構成される第１印刷部を配置する手順（Ｂ）と、
を有する処理を、前記印刷装置に実行させることを特徴とするプログラム。
【請求項２９】
前記第１情報は、漏洩防止情報あるいは個人情報を含んでいることを特徴とする請求項２８に記載のプログラム。
【請求項３０】
前記処理は、印刷ジョブデータから前記第１情報を分離する手順（Ｃ）を、さらに有することを特徴とする請求項２８又は請求項２９に記載のプログラム。
【請求項３１】
前記印刷ジョブデータに含まれるデータには、前記第１情報か否かを判別するための識別情報が付加されており、
前記手順（Ｃ）における前記第１情報を分離は、前記識別情報に基づいていることを特徴とする請求項２８〜３０のいずれか１項に記載のプログラム。
【請求項３２】
前記印刷ジョブデータは、バリアブルプリントに使用されるフォームデータを含んでおり、前記識別情報は、前記フォームデータのフィールドに付加されていることを特徴とする請求項３１に記載のプログラム。
【請求項３３】
前記処理は、前記基材と前記スクラッチ層との間に、第２印刷部およびラミネート層を配置する手順（Ｄ）を、さらに有しており、
前記第２印刷部は、前記基材上に配置され、第２情報が印刷されて構成されており、
前記ラミネート層は、前記第２印刷部と前記スクラッチ層との間に位置し、前記第２印刷部が視認できる透明な材料から構成されている
ことを特徴とする請求項２８〜３２のいずれか１項に記載のプログラム。
【請求項３４】
前記処理は、前記基材上に、第３情報が印刷されて構成される第３印刷部を配置する手順（Ｅ）を、さらに有しており、
前記第３情報は、前記スクラッチ層を削り取ることにより前記第１情報が消去可能である旨のメッセージを含んでおり、
前記第３印刷部が占める範囲は、前記スクラッチ層が占める範囲から離間して位置している
ことを特徴とする請求項２８〜３３のいずれか１項に記載のプログラム。
【請求項３５】
前記処理は、前記スクラッチ層上において前記第１印刷部が占める範囲以外に、装飾印刷部を配置する手順（Ｆ）を、さらに有しており、
前記装飾印刷部は、前記スクラッチ層を隠蔽できる有色の材料から構成されている
ことを特徴とする請求項２８〜３４のいずれか１項に記載のプログラム。
【発明の詳細な説明】
【技術分野】
【０００１】
本発明は、スクラッチ層を有する印刷物、スクラッチ層を有する印刷物を製造するための方法、装置およびプログラムに関する。
【背景技術】
【０００２】
個人情報保護の観点から、一般人においても、受け取ったダイレクトメールなどを廃棄する際、印刷されている個人情報を消去し、個人情報の漏洩を防止する行為が見受けられるようになった。個人情報の消去は、シュレッダーや特殊なスタンプを用いる方法が一般的であるが、一般家庭にこれらの道具はあまり普及しておらず、これらを購入するための初期投資はダイレクトメールの受取人が負わねばならなかった。
【０００３】
そのため、削り取ることにより除去可能なスクラッチ印刷を個人情報の印刷に適用することで、シュレッダーや特殊なスタンプを用いることなく個人情報を消去可能としている（例えば、特許文献１参照。）。また、消去可能とする部分にトナーを多量に使用することで定着剥れを誘発し，除去可能とするものもある（例えば、特許文献２参照。）。
【先行技術文献】
【特許文献】
【０００４】
【特許文献１】特開２００８−２７３０１８号公報
【特許文献２】特開２００７−３４０３９号公報
【発明の概要】
【発明が解決しようとする課題】
【０００５】
しかし、特許文献１に記載の技術においては、例えば、スクラッチ印刷に使用されたインクの一部が取り残されたり、スクラッチ印刷時に与えられた熱量によってスクラッチ印刷部位と非スクラッチ印刷部位との間で光沢差が生じたりすることにより、除去されたスクラッチ印刷の痕跡が識別される虞がある。そのため、スクラッチ印刷部位を削り取っても、その痕跡から元の情報が読み取られる可能性があった。
【０００６】
また、特許文献２に記載の技術においても、トナーを剥離した後の痕跡が残る場合あるため、特許文献１に記載の技術と同様に、元の情報が読み取られる可能性があった。
【０００７】
本発明は、上記従来技術に伴う課題を解決するためになされたものであり、印刷されている情報を事後的に容易かつ良好に消去することが可能である印刷物、前記印刷物を製造するための方法、装置およびプログラムを提供することを目的とする。
【課題を解決するための手段】
【０００８】
本発明の上記目的は、下記の手段によって達成される。
【０００９】
（１）印刷媒体である基材と、
前記基材上に配置され、削り取ることにより除去自在であるスクラッチ層と、
前記スクラッチ層上に配置され、第１情報が印刷されて構成される第１印刷部と、
を有することを特徴とする印刷物。
【００１０】
（２）前記第１情報は、漏洩防止情報あるいは個人情報を含んでいることを特徴とする上記（１）に記載の印刷物。
【００１１】
（３）前記スクラッチ層が占める範囲の形状は、前記第１印刷部の形状と異なっていることを特徴とする上記（１）又は上記（２）に記載の印刷物。
【００１２】
（４）前記スクラッチ層が占める範囲は、全体として単一の閉じた形状を有することを特徴とする上記（１）〜（３）のいずれか１項に記載の印刷物。
【００１３】
（５）前記基材と前記スクラッチ層との間に配置される第２印刷部およびラミネート層を、さらに有しており、
前記第２印刷部は、前記基材上に配置され、第２情報が印刷されて構成されており、
前記ラミネート層は、前記第２印刷部と前記スクラッチ層との間に位置し、前記第２印刷部が視認できる透明な材料から構成されている
ことを特徴とする上記（１）〜（４）のいずれか１項に記載の印刷物。
【００１４】
（６）前記第２情報は、印刷物の受け取り手の興味を引く情報からなることを特徴とする上記（５）に記載の印刷物。
【００１５】
（７）前記基材上に配置され、第３情報が印刷されて構成される第３印刷部をさらに有し、
前記第３情報は、前記スクラッチ層を削り取ることにより前記第１情報が消去可能である旨のメッセージを含んでおり、
前記第３印刷部が占める範囲は、前記スクラッチ層が占める範囲から離間して位置していることを特徴とする上記（１）〜（６）のいずれか１項に記載の印刷物。
【００１６】
（８）前記スクラッチ層上において前記第１印刷部が占める範囲以外に配置される装飾印刷部を、さらに有し、
前記装飾印刷部は、前記スクラッチ層を隠蔽できる有色の材料から構成されている
ことを特徴とする上記（１）〜（７）のいずれか１項に記載の印刷物。
【００１７】
（９）前記装飾印刷部の外周は、前記スクラッチ層の一部を露出するための欠落部を有することを特徴とする上記（８）に記載の印刷物。
【００１８】
（１０）前記装飾印刷部は、前記基材の色と同じ色あるいは近似色を有することを特徴とする上記（８又は上記（９）に記載の印刷物。
【００１９】
（１１）前記スクラッチ層は、前記基材の色と同じ色あるいは近似色を有することを特徴とする上記（１）〜（７）のいずれか１項に記載の印刷物。
【００２０】
（１２）印刷物の印刷媒体である基材上に、削り取ることにより除去自在であるスクラッチ層を配置するステップ（Ａ）と、
前記スクラッチ層上に、第１情報が印刷されて構成される第１印刷部を配置するステップ（Ｂ）と、
を有することを特徴とする印刷方法。
【００２１】
（１３）前記第１情報は、漏洩防止情報あるいは個人情報を含んでいることを特徴とする上記（１２）に記載の印刷方法。
【００２２】
（１４）印刷ジョブデータから前記第１情報を分離するステップ（Ｃ）を、さらに有することを特徴とする上記（１２）又は上記（１３）に記載の印刷方法。
【００２３】
（１５）前記印刷ジョブデータに含まれるデータには、前記第１情報か否かを判別するための識別情報が付加されており、
前記ステップ（Ｃ）における前記第１情報を分離は、前記識別情報に基づいていることを特徴とする上記（１２）〜（１４）のいずれか１項に記載の印刷方法。
【００２４】
（１６）前記印刷ジョブデータは、バリアブルプリントに使用されるフォームデータを含んでおり、前記識別情報は、前記フォームデータのフィールドに付加されていることを特徴とする上記（１５）に記載の印刷方法。
【００２５】
（１７）前記基材と前記スクラッチ層との間に、第２印刷部およびラミネート層を配置するステップ（Ｄ）を、さらに有しており、
前記第２印刷部は、前記基材上に配置され、第２情報が印刷されて構成されており、
前記ラミネート層は、前記第２印刷部と前記スクラッチ層との間に位置し、前記第２印刷部が視認できる透明な材料から構成されている
ことを特徴とする上記（１２）〜（１６）のいずれか１項に記載の印刷方法。
【００２６】
（１８）前記基材上に、第３情報が印刷されて構成される第３印刷部を配置するステップ（Ｅ）を、さらに有しており、
前記第３情報は、前記スクラッチ層を削り取ることにより前記第１情報が消去可能である旨のメッセージを含んでおり、
前記第３印刷部が占める範囲は、前記スクラッチ層が占める範囲から離間して位置している
ことを特徴とする上記（１２）〜（１７）のいずれか１項に記載の印刷方法。
【００２７】
（１９）前記スクラッチ層上において前記第１印刷部が占める範囲以外に、装飾印刷部を配置するステップ（Ｆ）を、さらに有しており、
前記装飾印刷部は、前記スクラッチ層を隠蔽できる有色の材料から構成されている
ことを特徴とする上記（１２）〜（１８）のいずれか１項に記載の印刷方法。
【００２８】
（２０）印刷物の印刷媒体である基材上に、削り取ることにより除去自在であるスクラッチ層を配置するためのスクラッチ層配置手段と、
前記スクラッチ層上に、第１情報が印刷されて構成される第１印刷部を配置するための第１印刷部配置手段と、
を有することを特徴とする印刷装置。
【００２９】
（２１）前記第１情報は、漏洩防止情報あるいは個人情報を含んでいることを特徴とする上記（２０）に記載の印刷装置。
【００３０】
（２２）印刷ジョブデータから前記第１情報を分離するための第１情報分離手段を、さらに有することを特徴とする上記（２０）又は上記（２１）に記載の印刷装置。
【００３１】
（２３）前記印刷ジョブデータに含まれるデータには、前記第１情報か否かを判別するための識別情報が付加されており、
前記第１情報分離手段による前記第１情報を分離は、前記識別情報に基づいていることを特徴とする上記（２０）〜（２２）のいずれか１項に記載の印刷装置。
【００３２】
（２４）前記印刷ジョブデータは、バリアブルプリントに使用されるフォームデータを含んでおり、前記識別情報は、前記フォームデータのフィールドに付加されていることを特徴とする上記（２３）に記載の印刷装置。
【００３３】
（２５）前記基材と前記スクラッチ層との間に第２印刷部を配置するための第２印刷部配置手段と、
前記基材と前記スクラッチ層との間にラミネート層を配置するためのラミネート層配置手段とを、さらに有しており、
前記第２印刷部は、前記基材上に配置され、第２情報が印刷されて構成されており、
前記ラミネート層は、前記第２印刷部と前記スクラッチ層との間に位置し、前記第２印刷部が視認できる透明な材料から構成されている
ことを特徴とする上記（１２）〜（１６）のいずれか１項に記載の印刷装置。
【００３４】
（２６）前記基材上に、第３情報が印刷されて構成される第３印刷部を配置するための第３印刷部配置手段を、さらに有しており、
前記第３情報は、前記スクラッチ層を削り取ることにより前記第１情報が消去可能である旨のメッセージを含んでおり、
前記第３印刷部が占める範囲は、前記スクラッチ層が占める範囲から離間して位置している
ことを特徴とする上記（２０）〜（２５）のいずれか１項に記載の印刷装置。
【００３５】
（２７）前記スクラッチ層上において前記第１印刷部が占める範囲以外に、装飾印刷部を配置するための装飾印刷部配置手段を、さらに有しており、
前記装飾印刷部は、前記スクラッチ層を隠蔽できる有色の材料から構成されている
ことを特徴とする上記（２０）〜（２６）のいずれか１項に記載の印刷装置。
【００３６】
（２８）印刷装置を制御するプログラムであって、
印刷物の印刷媒体である基材上に、削り取ることにより除去自在であるスクラッチ層を配置する手順（Ａ）と、
前記スクラッチ層上に、第１情報が印刷されて構成される第１印刷部を配置する手順（Ｂ）と、
を有する処理を、前記印刷装置に実行させることを特徴とするプログラム。
【００３７】
（２９）前記第１情報は、漏洩防止情報あるいは個人情報を含んでいることを特徴とする上記（２８）に記載のプログラム。
【００３８】
（３０）前記処理は、印刷ジョブデータから前記第１情報を分離する手順（Ｃ）を、さらに有することを特徴とする上記（２８）又は上記（２９）に記載のプログラム。
【００３９】
（３１）前記印刷ジョブデータに含まれるデータには、前記第１情報か否かを判別するための識別情報が付加されており、
前記手順（Ｃ）における前記第１情報を分離は、前記識別情報に基づいていることを特徴とする上記（２８）〜（３０）のいずれか１項に記載のプログラム。
【００４０】
（３２）前記印刷ジョブデータは、バリアブルプリントに使用されるフォームデータを含んでおり、前記識別情報は、前記フォームデータのフィールドに付加されていることを特徴とする上記（３１）に記載のプログラム。
【００４１】
（３３）前記処理は、前記基材と前記スクラッチ層との間に、第２印刷部およびラミネート層を配置する手順（Ｄ）を、さらに有しており、
前記第２印刷部は、前記基材上に配置され、第２情報が印刷されて構成されており、
前記ラミネート層は、前記第２印刷部と前記スクラッチ層との間に位置し、前記第２印刷部が視認できる透明な材料から構成されている
ことを特徴とする上記（２８）〜（３２）のいずれか１項に記載のプログラム。
【００４２】
（３４）前記処理は、前記基材上に、第３情報が印刷されて構成される第３印刷部を配置する手順（Ｅ）を、さらに有しており、
前記第３情報は、前記スクラッチ層を削り取ることにより前記第１情報が消去可能である旨のメッセージを含んでおり、
前記第３印刷部が占める範囲は、前記スクラッチ層が占める範囲から離間して位置している
ことを特徴とする上記（２８）〜（３３）のいずれか１項に記載のプログラム。
【００４３】
（３５）前記処理は、前記スクラッチ層上において前記第１印刷部が占める範囲以外に、装飾印刷部を配置する手順（Ｆ）を、さらに有しており、
前記装飾印刷部は、前記スクラッチ層を隠蔽できる有色の材料から構成されている
ことを特徴とする上記（２８）〜（３４）のいずれか１項に記載のプログラム。
【発明の効果】
【００４４】
本発明に係る印刷物、前記印刷物を製造するための方法、装置およびプログラムによれば、スクラッチ層を削り取ることにより、第１印刷部が破壊されるため、第１印刷部が保持する第１情報が消去される。また、スクラッチ層と第１印刷部とは別体であるため、除去されたスクラッチ層の痕跡に基づき、第１印刷部が保持していた第１情報を読み取ることは困難である。したがって、印刷されている情報を事後的に容易かつ良好に消去することが可能である印刷物、前記印刷物を製造するための方法、装置およびプログラムを提供することが可能である。
【図面の簡単な説明】
【００４５】
【図１】実施の形態１に係る印刷物を説明するための平面図である。
【図２】図１に示される印刷物の断面図である。
【図３】図１に示されるスクラッチ層が除去された状態を示している平面図である。
【図４】実施の形態１に係る印刷装置を説明するための概略断面図である。
【図５】図１の印刷装置に入力される印刷ジョブデータを説明するための概念図である。
【図６】図４に示される一次印刷装置によって形成される一次印刷部を説明するための平面図である。
【図７】図４に示されるスクラッチ印刷装置によって形成されるスクラッチ層を説明するための平面図である。
【図８】実施の形態１に係る印刷方法を説明するためのフローチャートである。
【図９】図７に示される印刷画像情報生成処理を説明するためのフローチャートである。
【図１０】実施の形態１に係る変形例１を説明するための断面図である。
【図１１】実施の形態１に係る変形例２を説明するための平面図である。
【図１２】実施の形態１に係る変形例３を説明するための平面図である。
【図１３】実施の形態１に係る変形例３を説明するための断面図である。
【図１４】実施の形態１に係る変形例４を説明するための平面図である。
【図１５】実施の形態２に係る印刷ジョブデータを説明するための概略図である。
【図１６】実施の形態２に係る印刷画像情報生成処理を説明するためのフローチャートである。
【図１７】実施の形態３に係る印刷ジョブデータを説明するための概略図である。
【図１８】実施の形態３に係る印刷画像情報生成処理を説明するためのフローチャートである。
【発明を実施するための形態】
【００４６】
以下、本発明の実施の形態を、図面を参照しつつ説明する。
【００４７】
図１は、実施の形態１に係る印刷物を説明するための平面図、図２は、図１に示される印刷物の断面図、図３は、図１に示されるスクラッチ層が除去された状態を示している平面図である。
【００４８】
実施の形態１に係る印刷物１０は、印刷されている情報を事後的に容易かつ良好に消去することが可能であり、印刷用紙２０、一次印刷部３０、ラミネート層４０、スクラッチ層５０および二次印刷部（第１印刷部）６０を有する。
【００４９】
印刷用紙２０は、印刷媒体からなる基材である。スクラッチ層５０は、印刷用紙２０上に配置され、削り取ることにより除去自在に構成されている。二次印刷部６０は、スクラッチ層５０上に配置され、第１情報が印刷されて構成される。第１情報は、本実施の形態においては、個人情報であり、例えば図１に示されるように、住所および名前である。第１情報は、その他の漏洩防止情報を含むことも可能である。
【００５０】
印刷物１０においては、スクラッチ層５０を削り取ることにより、二次印刷部６０が破壊されるため、二次印刷部６０が保持する個人情報が消去される。また、スクラッチ層５０と二次印刷部６０とは別体であるため、除去されたスクラッチ層５０の痕跡に基づき、二次印刷部６０が保持していた個人情報を読み取ることは困難である。
【００５１】
一次印刷部３０は、印刷用紙２０上に直接配置されており、スクラッチ層５０から離間して位置する通常印刷部３４と、スクラッチ層５０の直下に位置する下層印刷部（第２印刷部）３２とを有する。通常印刷部３４は、個人情報を含まない非秘匿情報が印刷されて構成される。非秘匿情報は、例えば、図１に示されるような「宛先」や広告メッセージである「新装開店セール実施中」である。
【００５２】
下層印刷部３２は、第２情報が印刷されて構成されており、スクラッチ層５０が除去されるまではスクラッチ層５０によって隠蔽される。第２情報は、印刷物１０の受け取り手の興味を引く情報を有する隠し文字からなり、例えば、図３に示されるような「お得意様専用ウェブサイト情報ＸＸＸ」である。隠し文字は、スクラッチ層５０を削り取ることにより露出（視認される）するため、印刷物１０の受け取り手に対し強烈な印象を与えることが可能であり、良好な広告効果を発揮する。
【００５３】
ラミネート層４０は、下層印刷部３２とスクラッチ層５０との間に位置し、下層印刷部３２が視認できる透明な材料から構成される保護層である。下層印刷部３２は、ラミネート層４０を介してスクラッチ層５０から隔離されているため、スクラッチ層５０を削り取る際に、下層印刷部３２が削り取られることが抑制され、下層印刷部３２が保持する隠し文字が欠損することが避けられる。ラミネート層４０は、スクラッチ層５０が占める範囲を越えて延長していることが好ましい。
【００５４】
スクラッチ層５０が占める範囲の形状は、二次印刷部６０の形状と異なっていることが好ましい。この場合、除去されたスクラッチ層５０の痕跡に基づき、二次印刷部６０が保持していた個人情報を読み取ることが、さらに困難となる。
【００５５】
スクラッチ層５０が占める範囲は、全体として単一の閉じた形状（例えば、略矩形のボックス形状）を有することも好ましい。この場合、スクラッチ層５０の形成が容易であり、かつ、除去されたスクラッチ層５０の痕跡に基づき、二次印刷部６０が保持していた個人情報を読み取ることが、さらに困難となる。
【００５６】
スクラッチ層５０は、印刷用紙２０の色と同じ色あるいは近似色を有することが好ましい。この場合、スクラッチ層５０の存在が目立たないため、美観を向上させることができる。
【００５７】
次に、実施の形態１に係る印刷装置を説明する。
【００５８】
図４は、実施の形態１に係る印刷装置を説明するための概略断面図、図５は、図１の印刷装置に入力される印刷ジョブデータを説明するための概念図、図６は、図４に示される一次印刷装置によって形成される一次印刷部を説明するための平面図、図７は、図４に示されるスクラッチ印刷装置によって形成されるスクラッチ層を説明するための平面図である。
【００５９】
実施の形態１に係る印刷装置１００は、印刷物１０を製造するために使用され、制御部１１０、給紙部１２０、１次印刷装置１３０、ラミネータ１４０、スクラッチ印刷装置１５０、２次印刷装置１６０および排紙部１７０から構成される。なお、符号１８０は、給紙部１２０と排紙部１７０との間を連通している搬送通路である。
【００６０】
制御部１１０は、ＣＰＵ１１２、ＲＡＭ１１３、ＲＯＭ１１５、ＨＤＤ１１６およびインタフェース１１８を有し、これらは、信号をやり取りするためのバス１１９を介して相互に接続されている。
【００６１】
ＣＰＵ１１２は、プログラムにしたがって上記各部の制御や各種の演算処理を実行するマイクロプロセッサ等から構成される制御回路であり、制御部１１０の各機能は、それに対応するプログラムをＣＰＵ１１２が実行することにより発揮される。
【００６２】
ＲＡＭ１１３は、作業領域として一時的にプログラムおよびデータを記憶するランダムアクセス記憶装置である。ＲＯＭ１１５は、各種プログラムおよび各種データを格納するための読取り専用の記憶装置である。
【００６３】
ＨＤＤ１１６は、各種データや各種プログラムを格納する大容量のランダムアクセス記憶装置である。格納されているプログラムは、ＣＰＵ１１２により必要に応じて読み出され、ＲＡＭ１１３上で実行処理される。格納されているプログラムは、後述される印刷画像情報生成処理、給紙処理、１次印刷処理、ラミネート層形成処理、スクラッチ層形成処理、２次印刷処理および排紙処理を実行するためのプログラムである。なお、印刷画像情報生成処理においては、一次印刷部３０を形成するための１次印刷画像情報、ラミネート層４０を形成するためのラミネート設定情報、スクラッチ層５０を形成するためのスクラッチ印刷情報、二次印刷部６０を形成するための２次印刷画像情報が生成される。
【００６４】
インタフェース１１８は、例えば、所謂ＬＡＮボードからなる通信インタフェースであり、ネットワークを介し、使用者が操作するホスト端末からの印刷ジョブデータの入力を受け付けるために使用される。印刷ジョブデータは、例えば、テキストボックスデータ、文字列データもしくは画像データを含んでおり、図５に示されるように、対象データが個人情報か否かを判別するための識別情報が付加されている。
【００６５】
ネットワークは、イーサネット（登録商標）、トークンリング、およびＦＤＤＩ（Ｆｉｂｅｒ−Ｄｉｓｔｒｉｂｕｔｅｄ  Ｄａｔａ  Ｉｎｔｅｒｆａｃｅ）等の規格によりコンピュータやネットワーク機器同士を接続する構内情報通信網（ＬＡＮ：Ｌｏｃａｌ  Ａｒｅａ  Ｎｅｔｗｏｒｋ）、ＬＡＮ同士を専用線で接続した広域情報通信網（ＷＡＮ：Ｗｉｄｅ  Ａｒｅａ  Ｎｅｔｗｏｒｋ）、インターネット、これらの組み合わせ等の各種のネットワークからなる。ネットワークプロトコルは、例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）である。
【００６６】
なお、使用者のホスト端末と印刷装置１００とは、ネットワークを介して接続する形態に限定されず、例えば、ＵＳＢ（Ｕｎｉｖｅｒｓａｌ  Ｓｅｒｉａｌ  Ｂｕｓ）等のシリアルインタフェースやＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１２８４等のパラレルインタフェースを利用して直接接続することも可能である。
【００６７】
給紙部１２０は、複数の給紙トレイ１２２を有し、使用者の手により予め挿入された各種の印刷用紙２０を保持している。給紙部１２０は、制御部１１０から指示された印刷用紙２０を給紙トレイ１２２から取出し、１次印刷装置１３０に向って搬送するために使用される。
【００６８】
１次印刷装置１３０は、例えば、帯電、露光、現像、転写および定着工程を含む電子写真式プロセス等の作像プロセスを利用するプリントエンジンを有する。１次印刷装置１３０は、制御部１１０から指示された印刷用紙２０に、制御部１１０からの１次印刷画像情報を印刷し、通常印刷部３４および下層印刷部３２からなる一次印刷部３０を、印刷用紙２０上に形成するために使用される（図６参照）。一次印刷部３０が配置された印刷用紙２０は、ラミネータ１４０に向って搬送される。１次印刷画像情報が存在しない場合は、印刷用紙２０は、１次印刷装置１３０を素通りすることになる。
【００６９】
ラミネータ１４０は、例えば、粘着剤が塗布されたラミネート用のプラスチックフィルムと、プラスチックフィルムを印刷用紙２０に圧着し加熱するための１対のロールと、プラスチックフィルムを切断するためのカッタと、を有する。プラスチックフィルムは、例えば、下層印刷部３２が視認できる光透過性を有する熱可塑性樹脂から形成される。粘着剤は、例えば、プラスチックフィルムと同様な光透過性を有するアクリル系粘着剤である。
【００７０】
ラミネータ１４０は、制御部１１０より受信したラミネート設定情報に基づき、下層印刷部３２上にラミネート層４０を形成し、下層印刷部３２を保護（隠蔽）するために使用される（図３参照）。ラミネート層４０が配置された印刷用紙２０は、スクラッチ印刷装置１５０に向って搬送される。なお、下層印刷部３２が存在しない場合は、印刷用紙２０は、ラミネータ１４０を素通りすることになる。また、ラミネータ１４０は、プラスチックフィルムを利用する形態に限定されず、ラミネート層４０をコーティングによって形成することも可能である。
【００７１】
スクラッチ印刷装置１５０は、例えば、アルミニウム粉にバインダー成分を加えた銀インキを主成分とするスクラッチ層形成用インキを塗布するためのコーティング機構を有する。スクラッチ印刷装置１５０は、制御部１１０より受信したスクラッチ印刷情報に基づき、ラミネート層４０上にスクラッチ層５０を形成するために使用される（図７参照）。スクラッチ層５０が配置された印刷用紙２０は、２次印刷装置１６０に向って搬送される。
【００７２】
なお、スクラッチ層形成用コーティング材は、インキに限定されず、必要に応じて適宜選択して用いることが可能であり、例えば、トナーを適用することも可能である。また、コーティング機構も、オフセット印刷や熱転写プリンタを利用することも可能である。
【００７３】
２次印刷装置１６０は、１次印刷装置１３０と同様なプリントエンジンを有しており、制御部１１０より受信した２次印刷画像情報（個人情報）を印刷し、二次印刷部６０をスクラッチ層５０上に形成するために使用される（図１参照）。二次印刷部６０が配置された印刷用紙２０つまり印刷物１０は、排紙部１７０に向って搬送される。
【００７４】
なお、１次印刷装置１３０および２次印刷装置１６０は、同一原理の画像形成機構を有する形態に限定されない。また、１次印刷装置１３０によって２次印刷装置１６０を兼用させることも可能である。この場合、スクラッチ層５０が配置された印刷用紙２０を１次印刷装置１３０に戻すための搬送通路を追加することが必要である。
【００７５】
排紙部１７０は、印刷物１０が排出される排紙トレイ１７２を有し、２次印刷装置１６０から搬送されてきた印刷用紙２０を積載するために使用される。なお、排紙トレイ１７２を、複数設けることも可能である。この場合、印刷用紙２０の種類に応じて積載する排紙トレイ１７２を変更することが可能である。
【００７６】
次に、実施の形態１に係る印刷方法を説明する。
【００７７】
図８は、実施の形態１に係る印刷方法を説明するためのフローチャート、図９は、図８に示される印刷画像情報生成処理を説明するためのフローチャートである。なお、図８および図９に示されるフローチャートにより示されるアルゴリズムは、制御部１１０のＨＤＤ１１６にプログラムとして記憶されており、制御部１１０のＣＰＵ１１２によって実行される。
【００７８】
実施の形態１に係る印刷方法は、印刷画像情報生成処理、給紙処理、１次印刷処理、ラミネート層形成処理、スクラッチ層形成処理、２次印刷処理および排紙処理を有する。
【００７９】
印刷画像情報生成処理においては、インタフェース１１８を介して入力された使用者からの印刷ジョブデータから、１次印刷画像情報、ラミネート設定情報およびスクラッチ印刷情報、２次印刷画像情報が生成される（ステップＳ０１）。
【００８０】
給紙処理においては、使用者が指示した種類の印刷用紙の搬送開始を要求する制御部１１０からの指示を受信すると、給紙部１２０は、指示された印刷用紙２０を給紙トレイ１２２から取出し、１次印刷装置１３０に向って搬送する（ステップＳ０２）。
【００８１】
１次印刷処理においては、給紙部１２０から印刷用紙が搬送されてくると、１次印刷装置１３０は、制御部１１０より受信した１次印刷画像情報を印刷することで、一次印刷部３０を、印刷用紙２０上に形成し（図６参照）、一次印刷部３０が配置された印刷用紙２０は、ラミネータ１４０に向って搬送される（ステップＳ０３）。なお、１次印刷画像情報は、個人情報を含まない非秘匿情報と、印刷物の受け取り手の興味を引く情報を有する隠し文字とを有しており、一次印刷部３０は、非秘匿情報が印刷されて構成される通常印刷部３４と、隠し文字が印刷されて構成される下層印刷部３２とを有する。
【００８２】
ラミネート層形成処理においては、１次印刷装置１３０から印刷用紙が搬送されてくると、ラミネータ１４０は、制御部１１０より受信したラミネート設定情報に基づき、下層印刷部３２上にラミネート層４０を形成し、下層印刷部３２を隠蔽し（図３参照）、ラミネート層４０が配置された印刷用紙２０は、スクラッチ印刷装置１５０に向って搬送される（ステップＳ０４）。
【００８３】
スクラッチ層形成処理においては、ラミネータ１４０から印刷用紙が搬送されてくると、スクラッチ印刷装置１５０は、制御部１１０より受信したスクラッチ印刷情報に基づき、ラミネート層４０上にスクラッチ層５０を形成し（図７参照）、スクラッチ層５０が配置された印刷用紙２０は、２次印刷装置１６０に向って搬送される（ステップＳ０５）。
【００８４】
２次印刷処理においては、スクラッチ印刷装置１５０から印刷用紙が搬送されてくると、２次印刷装置１６０は、制御部１１０より受信した２次印刷画像情報を印刷することで、二次印刷部６０を、スクラッチ層５０上に形成し、得られた印刷物１０（図１参照）は、排紙部１７０に向って搬送される（ステップＳ０６）。なお、２次印刷画像情報は、人情報（住所および名前）である。
【００８５】
排紙処理においては、２次印刷装置１６０から印刷物１０が搬送されてくると、排紙トレイ１７２に積載し（ステップＳ０７）、プロセスは終了する。
【００８６】
次に、ステップＳ０１の印刷画像情報生成処理を詳述する。
【００８７】
まず、使用者から入力された印刷ジョブデータ中に含まれる対象データ（テキストボックスデータ、文字列データもしくは画像データ）が、個人情報か否かが判別される（ステップＳ１１）。判別は、対象データに付加されている識別情報に基づいて実行される（図５参照）。
【００８８】
対象データが非個人情報であると判別される場合（ステップＳ１１：Ｎｏ）、対象データは、１次印刷データとして分離され（ステップＳ１２）、プロセスは、ステップＳ１４に進む。対象データが個人情報であると判別される場合（ステップＳ１１：Ｙｅｓ）、対象データは、２次印刷データとして分離され（ステップＳ１３）、プロセスは、ステップＳ１４に進む。
【００８９】
ステップＳ１４においては、次データの存在の有無が判別される。次データが存在すると判別される場合（ステップＳ１４：Ｙｅｓ）、プロセスは、ステップＳ１１にリターンする。次データが存在しないと判別される場合（ステップＳ１４：Ｎｏ）、１次印刷データに基づき、１次印刷装置１３０が印刷するための１次印刷画像情報が生成される（ステップＳ１５）。
【００９０】
そして、個人情報であると判別された２次印刷データに基づき、２次印刷装置１６０が印刷するための２次印刷画像情報が生成され、また、２次印刷範囲が算出される（ステップＳ１６）。２次印刷範囲の算出は、例えば、個人情報に係るテキストボックスのサイズ、字列に使用されているフォントのサイズ、画像サイズが利用される。本実施の形態においては、全体として単一の閉じた形状となるよう、単純に縦横の長さだけによって規定される。
【００９１】
算出された矩形形状の２次印刷範囲に基づき、ラミネータ１４０がラミネート層を形成するためのラミネート設定情報およびスクラッチ印刷装置１５０がスクラッチ層を形成するためのスクラッチ印刷情報が生成され（ステップＳ１７）、プロセスは、図８に示される給紙処理（ステップＳ０２）にリターンする。
【００９２】
次に、実施の形態１に係る変形例１〜４を説明する。
【００９３】
図１０は、実施の形態１に係る変形例１を説明するための断面図である。
【００９４】
印刷物１０は、ラミネート層４０を有しない形態を適用することも可能である。例えば、一次印刷部が通常印刷部３４のみからなり、下層印刷部３２が存在しない場合、下層印刷部３２を保護する必要がないため、ラミネート層４０は必須ではない。なお、下層印刷部３２が存在する場合であっても、必要に応じて、ラミネート層４０を省略することも可能である。
【００９５】
図１１は、実施の形態１に係る変形例２を説明するための平面図である。
【００９６】
印刷物１０の一次印刷部に、備考印刷部（第３印刷部）３６を含ませることも可能である。備考印刷部３６は、印刷物１０の受け取り手に対するメッセージを含んでいる情報（第３情報）が印刷されて構成され、その占める範囲は、スクラッチ層５０が占める範囲から離間して位置している。メッセージは、例えば、スクラッチ層を削り取ることにより個人情報が消去可能である旨の内容を含んでいる。これにより、印刷物の受け取り手に、スクラッチ層５０の存在を注目させることが可能である。
【００９７】
図１２および図１３は、実施の形態１に係る変形例３を説明するための平面図および断面図である。
【００９８】
印刷物１０のスクラッチ層５０上において二次印刷部６０が占める範囲以外に装飾印刷部７０を配置することも可能である。装飾印刷部７０は、スクラッチ層５０を隠蔽できる有色の材料（例えば、白トナー）から構成されており、スクラッチ層５０が露出していないため、美観を向上させることが可能である。装飾印刷部７０は、スクラッチ層５０が占める範囲を越えて延長させることも可能である。また、装飾印刷部７０は、印刷用紙２０の色と同じ色あるいは近似色を有することが好ましい。この場合、装飾印刷部７０の存在が目立たないため、美観をさらに向上させることができる。
【００９９】
図１４は、実施の形態１に係る変形例４を説明するための平面図である。
【０１００】
装飾印刷部７０の外周は、スクラッチ層５０の一部を露出するための欠落部７２を有することが好ましい。この場合、装飾印刷部７０の欠落部７２から露出しているスクラッチ層５０の一部を手始めとして、スクラッチ層５０を容易に削り取ることが可能である。欠落部７２は、三角形形状に限定されず、矩形形状とすることも可能である。また、欠落部７２の配置位置は、コーナー部に限定されない。さらに、欠落部７２の配置数を複数とすることも可能である。
【０１０１】
以上のように、実施の形態１に係る印刷物においては、スクラッチ層を削り取ることにより、二次印刷部が破壊されるため、二次印刷部が保持する個人情報が消去される。また、スクラッチ層と二次印刷部とは別体であるため、除去されたスクラッチ層の痕跡に基づき、二次印刷部が保持していた個人情報を読み取ることは困難である。つまり、印刷されている情報を事後的に容易かつ良好に消去することが可能である印刷物、前記印刷物を製造するための方法、装置およびプログラムを提供することが可能である。
【０１０２】
次に、実施の形態２を説明する。
【０１０３】
図１５は、実施の形態２に係る印刷ジョブデータを説明するための概略図、図１６は、実施の形態２に係る印刷画像情報生成処理を説明するためのフローチャートである。なお、図１６に示されるフローチャートにより示されるアルゴリズムは、制御部１１０のＨＤＤ１１６にプログラムとして記憶されており、制御部１１０のＣＰＵ１１２によって実行される。
【０１０４】
実施の形態２は、バリアブルプリントに関する点で、実施の形態１と概して異なっており、図１５に示されるように、フォームデータにあらかじめ各フィールドが個人情報か否かを区別する識別情報が付加されている。なお、実施の形態２と実施の形態１は、給紙処理〜排紙処理が略一致するため、印刷画像情報生成処理のみを説明し、重複を避ける。
【０１０５】
実施の形態２に係る印刷画像情報生成処理においては、図１６に示されるように、まず、使用者から入力された印刷ジョブデータ中に含まれるフォームデータの対象フィールドが、個人情報か否かが判別される（ステップＳ２１）。判別は、フォームデータに付加されている識別情報に基づいて実行される（図１５参照）。
【０１０６】
対象フィールドが非個人情報であると判別される場合（ステップＳ２１：Ｎｏ）、対象フィールドのバリアブルデータは、１次印刷データとして分離され（ステップＳ２２）、プロセスは、ステップＳ２４に進む。対象フィールドが個人情報であると判別される場合（ステップＳ２１：Ｙｅｓ）、対象フィールドのバリアブルデータは、２次印刷データとして分離され（ステップＳ２３）、プロセスは、ステップＳ２４に進む。
【０１０７】
ステップＳ２４においては、次データの存在の有無が判別される。次データが存在すると判別される場合（ステップＳ２４：Ｙｅｓ）、プロセスは、ステップＳ２１にリターンする。次データが存在しないと判別される場合（ステップＳ２４：Ｎｏ）、非個人情報であると判別された対象フィールドのバリアブルデータからなる１次印刷データに基づき、１次印刷装置１３０が印刷するための１次印刷画像情報が生成される（ステップＳ２５）。そして、個人情報であると判別された対象フィールドのバリアブルデータからなる２次印刷データに基づき、２次印刷装置１６０が印刷するための２次印刷画像情報が生成され、また、２次印刷範囲が算出される（ステップＳ２６）。
【０１０８】
算出された２次印刷範囲に基づき、ラミネータ１４０がラミネート層を形成するためのラミネート設定情報およびスクラッチ印刷装置１５０がスクラッチ層を形成するためのスクラッチ印刷情報が生成され（ステップＳ２７）、プロセスは、図８に示される給紙処理（ステップＳ０２）にリターンする。
【０１０９】
以上のように、実施の形態２においては、バリアブルプリントが適用される場合においても、印刷されている情報を事後的に容易かつ良好に消去することが可能である印刷物、前記印刷物を製造するための方法、装置およびプログラムを提供することが可能である。
【０１１０】
次に、実施の形態３を説明する。
【０１１１】
図１７は、実施の形態３に係る印刷ジョブデータを説明するための概略図、図１８は、実施の形態３に係る印刷画像情報生成処理を説明するためのフローチャートである。なお、図１７に示されるフローチャートにより示されるアルゴリズムは、制御部１１０のＨＤＤ１１６にプログラムとして記憶されており、制御部１１０のＣＰＵ１１２によって実行される。
【０１１２】
実施の形態３は、フォームデータのフィールドの構成に関し、実施の形態１および２と概して異なっており、図１７に示されるように、フィールドに配置されるバリアブルデータに対しても個人情報か否かを区別する識別情報が付加されている。なお、実施の形態３と実施の形態１および２とは、給紙処理〜排紙処理が略一致するため、印刷画像情報生成処理のみを説明し、重複を避ける。
【０１１３】
実施の形態３に係る印刷画像情報生成処理においては、図１８に示されるように、まず、使用者から入力された印刷ジョブデータ中に含まれるフォームデータの対象フィールドが、個人情報か否かが判別される（ステップＳ３１）。判別は、フォームデータに付加されている識別情報に基づいて実行される（図１５参照）。
【０１１４】
対象フィールドが非個人情報であると判別される場合（ステップＳ３１：Ｎｏ）、対象フィールドのバリアブルデータは、１次印刷データとして分離され（ステップＳ３２）、プロセスは、ステップＳ３６に進む。
【０１１５】
対象フィールドが個人情報であると判別される場合（ステップＳ３１：Ｙｅｓ）、対象フィールドのバリアブルデータが個人情報か否かが判別される（ステップＳ３３）。判別は、バリアブルデータに付加されている識別情報に基づいて実行される（図１７参照）
バリアブルデータが非個人情報であると判別される場合（ステップＳ３３：Ｎｏ）、対象フィールドのバリアブルデータは、隠し文字（下層印刷部）の１次印刷データとして分離され（ステップＳ３４）、プロセスは、ステップＳ３６に進む。バリアブルデータが個人情報であると判別される場合（ステップＳ３３：Ｙｅｓ）、対象フィールドのバリアブルデータは、２次印刷データとして分離され（ステップＳ３５）、プロセスは、ステップＳ３６に進む。
【０１１６】
ステップＳ３６においては、次データの存在の有無が判別される。次データが存在すると判別される場合（ステップＳ３６：Ｙｅｓ）、プロセスは、ステップＳ３１にリターンする。次データが存在しないと判別される場合（ステップＳ３６：Ｎｏ）、非個人情報であると判別されたフィールドのバリアブルデータと、個人情報であると判別されたフィールドの非個人情報のバリアブルデータ（隠し文字）とからなる１次印刷データに基づき、１次印刷装置１３０が印刷するための１次印刷画像情報が生成される（ステップＳ３７）。そして、個人情報であると判別されたフィールドの個人情報のバリアブルデータからなる２次印刷データに基づき、２次印刷装置１６０が印刷するための２次印刷画像情報が生成され、また、２次印刷範囲が算出される（ステップＳ３８）。
【０１１７】
算出された２次印刷範囲に基づき、ラミネータ１４０がラミネート層を形成するためのラミネート設定情報およびスクラッチ印刷装置１５０がスクラッチ層を形成するためのスクラッチ印刷情報が生成され（ステップＳ３９）、プロセスは、図８に示される給紙処理（ステップＳ０２）にリターンする。
【０１１８】
以上のように、実施の形態３においては、バリアブルプリントが適用される場合において、フォームデータのフィールドに配置されるバリアブルデータに識別情報を付加することにより、下層印刷部を構成する隠し文字を簡単に指定することが可能である。
【０１１９】
本発明は、上述した実施の形態に限定されるものではなく、特許請求の範囲で種々改変することが可能である。例えば、印刷ジョブデータは、個人情報か否かを判別するための識別情報を予め付加する形態に限定されない。
【０１２０】
なお、本発明に係る手段、方法およびプログラムは、専用のハードウェア回路によっても実現することも可能である。また、プログラムされたコンピュータ装置によって本発明を実現する場合、コンピュータ装置を動作させるプログラムは、ＵＳＢメモリやＣＤ−ＲＯＭ（Ｃｏｍｐａｃｔ  Ｄｉｓｃ  Ｒｅａｄ  Ｏｎｌｙ  Ｍｅｍｏｒｙ）等のコンピュータ読み取り可能な記録媒体によって提供したり、記録媒体によらず、インターネット等のネットワークを介してオンラインで提供したりすることも可能である。この場合、プログラムは、通常、コンピュータ装置のハードディスク等のランダムアクセス記憶装置に送信されて記憶される。また、プログラムは、単独のアプリケーションソフトウェアとして提供されてもよいし、コンピュータ装置の一機能としてそのコンピュータ装置のソフトウェアに組み込むことも可能である。
【符号の説明】
【０１２１】
１０  印刷物、
２０  印刷用紙、
３０  一次印刷部、
３２  下層印刷部、
３４  通常印刷部、
３６  備考印刷部、
４０  ラミネート層、
５０  スクラッチ層、
６０  二次印刷部、
７０  装飾印刷部、
７２  欠落部、
１００  印刷装置、
１１０  制御部、
１１２  ＣＰＵ、
１１３  ＲＡＭ、
１１５  ＲＯＭ、
１１６  ＨＤＤ、
１１８  インタフェース、
１１９  バス、
１２０  給紙部、
１２２  給紙トレイ、
１３０  一次次印刷装置、
１４０  ラミネータ、
１５０  スクラッチ印刷装置、
１６０  二次印刷装置、
１７０  排紙部、
１７２  排紙トレイ、
１８０  搬送通路。
【図２】
2011245834.tif 000003
【図６】
2011245834.tif 000004
【図８】
2011245834.tif 000005
【図９】
2011245834.tif 000006
【図１０】
2011245834.tif 000007
【図１３】
2011245834.tif 000008
【図１５】
2011245834.tif 000009
【図１６】
2011245834.tif 000010
【図１８】
2011245834.tif 000011
【図１】
2011245834.tif 000012
【図３】
2011245834.tif 000013
【図４】
2011245834.tif 000014
【図５】
2011245834.tif 000015
【図７】
2011245834.tif 000016
【図１１】
2011245834.tif 000017
【図１２】
2011245834.tif 000018
【図１４】
2011245834.tif 000019
【図１７】
2011245834.tif 000020